(57)【要約】      （修正有）【課題】簡単な構造でクリップ全体の薄さとクリップの外し易さを両立させた薄型クリップを提供する。【解決手段】被挟持物Ｂを挟み込むように弾性変形可能な材料で互いに対向するように形成される一対の挟み板１と、これら挟み板１の端部と連続して挟み板１が互いに重なり合うように折り曲げ形成される折曲部２と、挟み板１における折曲部２の近傍部分が折曲部２に沿って屈曲されてそれぞれ外側に突出するように形成される一対の屈曲部３とを設ける。さらに、挟み板１に貫通孔４を開穿して、この貫通孔４の開口縁４ａの一部４ｂがクリップ取り外し方向Ｄ１と交差するように配置することにより、被挟持物Ｂから挟み板１を取外すために指で摘むと、貫通孔４の開口縁４ａの一部４ｂに指が引っ掛かって、屈曲部３の突出量を大きくしなくてもクリップの表面に対して指が滑らずに取り外し可能になる。【選択図】図１
0003160214.tif 000002
【実用新案登録請求の範囲】
【請求項１】
被挟持物を挟み込むように弾性変形可能な材料で互いに対向するように形成される一対の挟み板と、
これら挟み板の端部と連続して該挟み板の少なくとも一部が互いに重なり合う重ね合わせ部分を形成するように直線状に折り曲げ形成される折曲部と、
前記挟み板における前記折曲部の近傍部分が該折曲部に沿って互いに対向するように屈曲されてそれぞれ外側に突出するように形成される一対の屈曲部とを備え、
前記挟み板に貫通孔を開穿して、この貫通孔の開口縁の一部がクリップ取り外し方向と交差するように配置したことを特徴とする薄型クリップ。
【請求項２】
前記貫通孔の前記開口縁において少なくとも前記被挟持物の進入方向と交差する一部を、前記屈曲部に入り込むように配置したことを特徴とする請求項１記載の薄型クリップ。
【請求項３】
前記挟み板のいずれか一方の先端部を、他方の先端部よりも突出させ、この一方の挟み板の先端部に、前記挟み板の前記重ね合わせ部分から離れる方向へ傾斜する案内部と、この案内部から前記他方の先端部の延長線上へ向けて逆向きに傾斜して突出する突出部とを山形状に屈曲形成したことを特徴とする請求項１又は２記載の薄型クリップ。
【請求項４】
前記挟み板の一部を互いに密着させて前記重ね合わせ部分が形成され、該重ね合わせ部分を前記クリップ取り外し方向と交差するように配置したことを特徴とする請求項１、２又は３記載の薄型クリップ。
【考案の詳細な説明】
【技術分野】
【０００１】
本考案は、例えは書類などの端部を挟んで綴じる薄型クリップに関する。
【背景技術】
【０００２】
従来、この種の薄型クリップとして、長手方向の両端に互いに略平行な斜縁を有する略三角形の先細状爪部を設けた薄い金属製の帯状板を長手方向の中央部で折り曲げて、先細状爪部を除く箇所が互いに重なり合い且つ先細状爪部の間に上記の斜縁が互いに交わることにより、略Ｖ字状の縁となる凹部を形成する上下２枚の挟み板を設け、その挟み板における上記の中央折曲部の近傍に、それぞれ外側へ突出する略への字状屈曲部を略上下対称に設けて、その略への字状屈曲部の内側に空隙を形成するとともに、その空隙より前方の挟み板の重なり合った箇所を互いに密着させて、その密着部位にバネ性を付与したものがある（例えば、特許文献１参照）。
この特許文献１には、上下２枚の挟み板に設けた略への字状屈曲部が僅かに外側へ突出するだけで、その他の部位は扁平なので複数個を重ねても嵩張らず、また上下の挟み板に設けた略への字状屈曲部に指を掛けることができるので用紙等から外しやすい、と記載されている。
【先行技術文献】
【特許文献】
【０００３】
【特許文献１】登録実用新案第３０４２５８４号公報
【考案の概要】
【考案が解決しようとする課題】
【０００４】
しかし乍ら、このような従来の薄型クリップでは、それを複数個重ねても嵩張らないように略への字状屈曲部の突出量が小さくなるようにしてクリップ全体の厚さ寸法を薄くすると、略への字状屈曲部に指が掛かり難くなり、滑って紙などの被挟持物からクリップが外し難くなるという問題があった。
【０００５】
本考案は、このような問題に対処することを課題とするものであり、簡単な構造でクリップ全体の薄さとクリップの外し易さを両立させること、被挟持物を貫通孔に引っ掛けることなくスムーズに挿入すること、被挟持物の挟持状態で他の紙などとの引っ掛かりを防止すること、被挟持物の位置ズレを抑制すること、などを目的とするものである。
【課題を解決するための手段】
【０００６】
このような目的を達成するために本考案は、被挟持物を挟み込むように弾性変形可能な材料で互いに対向するように形成される一対の挟み板と、これら挟み板の端部と連続して該挟み板の少なくとも一部が互いに重なり合う重ね合わせ部分を形成するように直線状に折り曲げ形成される折曲部と、前記挟み板における前記折曲部の近傍部分が該折曲部に沿って互いに対向するように屈曲されてそれぞれ外側に突出するように形成される一対の屈曲部とを備え、前記挟み板に貫通孔を開穿して、この貫通孔の開口縁の一部がクリップ取り外し方向と交差するように配置したことを特徴とする。
【０００７】
前述した特徴に加えて、前記貫通孔の前記開口縁において少なくとも前記被挟持物の進入方向と交差する一部を、前記屈曲部に入り込むように配置したことを特徴とする。
【０００８】
さらに前述した特徴に加えて、前記挟み板のいずれか一方の先端部を、他方の先端部よりも突出させ、この一方の挟み板の先端部に、前記挟み板の前記重ね合わせ部分から離れる方向へ傾斜する案内部と、この案内部から前記他方の先端部の延長線上へ向けて逆向きに傾斜して突出する突出部とを山形状に屈曲形成したことを特徴とする。
【０００９】
さらに前述した特徴に加えて、前記挟み板の一部を互いに密着させて前記重ね合わせ部分が形成され、該重ね合わせ部分を前記クリップ取り外し方向と交差するように配置したことを特徴とする。
【考案の効果】
【００１０】
前述した特徴を有する本考案は、被挟持物を挟み込むように弾性変形可能な材料で互いに対向するように形成される一対の挟み板と、これら挟み板の端部と連続して該挟み板が互いに重なり合う重ね合わせ部分を形成するように直線状に折り曲げ形成される折曲部と、前記挟み板における前記折曲部の近傍部分が該折曲部に沿って互いに対向するように屈曲されてそれぞれ外側に突出するように形成される一対の屈曲部とを備え、前記挟み板に貫通孔を開穿して、この貫通孔の開口縁の一部がクリップ取り外し方向と交差するように配置することにより、被挟持物から挟み板を取外すために指で摘むと、貫通孔の開口縁の一部に指が引っ掛かって、屈曲部の突出量を大きくしなくてもクリップの表面に対して指が滑らずに取り外し可能になるので、簡単な構造でクリップ全体の薄さとクリップの外し易さを両立させることができる。
その結果、挟み板に設けられる屈曲部に指を掛けることでクリップを用紙等から外し易くした従来のものに比べ、書類などの被挟持物をクリップで挟み綴じたものが複数個重ねられても嵩張らず、多量の被挟持物をコンパクトに積み上げることができ、しかもクリップを確実に外せるため、使用勝手を向上させることができる。
また、挟み板に貫通孔を開穿することで挟み板自体が弾性変形し易くなるため、被挟持物の挟み込みをスムーズに行うことができる。
さらに、挟み板に開穿される貫通孔を通して被挟持物の表面が露出するため、被挟持物の表面に記載された文字などを見ることができる。
【００１１】
さらに、前記貫通孔の前記開口縁において少なくとも前記被挟持物の進入方向と交差する一部を、前記屈曲部に入り込むように配置した場合には、挟み板の間に書類などの被挟持物を挿入する際に、この被挟持物の先端縁が貫通孔内に進入したところで厚さ方向へ若干膨らんだとしても、貫通孔の一部に接触することなく、折曲部の内面に突き当たるまで押し込み可能となるので、被挟持物を貫通孔に引っ掛けることなくスムーズに挿入することができる。
その結果、被挟持物の先端縁を変形させて破損することなく確実に挟持できて使用勝手が良い。
【００１２】
また、前記挟み板のいずれか一方の先端部を、他方の先端部よりも突出させ、この一方の挟み板の先端部に、前記挟み板の前記重ね合わせ部分から離れる方向へ傾斜する案内部と、この案内部から前記他方の先端部の延長線上へ向けて逆向きに傾斜して突出する突出部とを山形状に屈曲形成した場合には、一方の挟み板の先端部と他方の挟み板の先端部との間から書類などの被挟持物を挿入し、そのまま押し込むことにより、被挟持物の先端縁が案内部に接し、該案内部に沿って重ね合わせ部分の隙間に入り込んで挟持されるとともに、この挟持状態において、一方の挟み板の先端部が突出部の傾斜によって被挟持物の表面に密着しているので、被挟持物の挟持状態で他の紙などとの引っ掛かりを防止することができる。
その結果、書類などの被挟持物をクリップで挟み綴じた後に、他の紙などの薄いものに引っ掛かってクリップが外れてしまったり、また綴じている被挟持物が外れはしないが、他の紙などの薄いものが入り込むことを防止できる。
【００１３】
また、前記挟み板の一部を互いに密着させて前記重ね合わせ部分が形成され、該重ね合わせ部分を前記クリップ取り外し方向と交差するように配置した場合には、被挟持物においてクリップ取り外し方向と交差する方向の個所が重ね合わせ部分で集中的に挟持され、クリップ取り外し方向へ位置決めされるので、被挟持物の位置ズレを抑制することができる。
その結果、被挟持物が積み重ねた書類であっても、個々の書類が相互に位置ズレせず、書類が薄型クリップを中心として扇状に広がるような位置ズレを防止できる。
【図面の簡単な説明】
【００１４】
【図１】本考案の実施形態に係る薄型クリップを示す説明図であり、（ａ）が斜視図、（ｂ）が図１の（１Ｂ）−（１Ｂ）線に沿える縦断面図、（ｃ）が被挟持物を挟んだ状態を示す縦断側面図である。
【図２】薄型クリップの変形例を示す説明図であり、（ａ）が斜視図、（ｂ）が図２の（２Ｂ）−（２Ｂ）線に沿える縦断面図、（ｃ）が被挟持物を挟んだ状態を示す縦断側面図である。
【図３】本考案の他の実施形態に係る薄型クリップを示す説明図であり、（ａ）が斜視図、（ｂ）が図３の（３Ｂ）−（３Ｂ）線に沿える縦断面図、（ｃ）が被挟持物を挟んだ状態を示す縦断側面図である。
【図４】本考案の他の実施形態に係る薄型クリップを示す斜視図である。
【図５】本考案の他の実施形態に係る薄型クリップを示す斜視図である。
【考案を実施するための形態】
【００１５】
以下、本考案の実施形態を図面に基づいて詳細に説明する。
本考案の実施形態に係る薄型クリップＡは、図１〜図５に示すように、例えば書類などの被挟持物Ｂを挟み込むように弾性変形可能な材料で互いに対向するように形成される一対の挟み板１と、これら挟み板１の一端部と連続して挟み板１が互いに重なり合うように直線状に折り曲げ形成される折曲部２と、挟み板１における折曲部２の近傍部分が折曲部２に沿って互いに対向するように屈曲されてそれぞれ外側に突出するように形成される一対の屈曲部３とを備えている。
【００１６】
一対の屈曲部３は、両挟み板１の一端部分（基端部分）を折曲部２とほぼ平行又は斜めに屈曲することにより、両挟み板１の厚さ方向へそれぞれ対称な山形状、図示例の場合には断面略への字状となるように形成され、これら屈曲部３によって両挟み板１の間に空隙３ａを形成し、この空隙３ａにより一対の挟み板１の少なくとも一部を互いに密着させて、重ね合わせ部分１ａが形成されるとともに、これら重ね合わせ部分１ａにバネ性を付与するようにしている。
図１〜図３に示される例では、重ね合わせ部分１ａが、両挟み板１の一部を面接触させることで形成されるようにしている。
【００１７】
さらに、挟み板１の両方又はいずれか一方には、貫通孔４を開穿して、その開口縁４ａの一部４ｂがクリップ取り外し方向Ｄ１と交差するように配置している。
ここで、「クリップ取り外し方向Ｄ１」とは、被挟持物Ｂから薄型クリップＡを取外すために引っ張る方向、すなわち両挟み板１の他端部（先端部）１ｂ，１ｃから一対の屈曲部３へ向かう方向である。
貫通孔４は、挟み板１の両方にそれぞれ開穿することが好ましく、貫通孔４の開口縁４ａは、使用者の指が接触した時にケガしないように、凹凸がない直線や円弧状又はそれらの組み合わせで形成することが好ましい。
図１〜図５に示される例では、挟み板１の両方に貫通孔４が一つずつそれぞれ略長孔状に開穿され、これら貫通孔４の開口縁４ａの一部４ｂとして末端部のみが、クリップ取り外し方向と交差するように配置されている。
また、その他の例として図示しないが、挟み板１のいずれか一方のみに貫通孔４を開穿したり、各挟み板１に複数の貫通孔４を開穿したり、貫通孔４の形状を円形、矩形、多角形やその他の形状などにしたり、貫通孔４の開口縁４ａの一部４ｂとして末端部以外の個所をクリップ取り外し方向と交差するように配置することも可能である。
【００１８】
さらにまた、重ね合わせ部分１ａは、両挟み板１の一部を線状又は点状に接触させることで形成されるようにすることも可能であり、このような線状又は点状の重ね合わせ部分１ａをクリップ取り外し方向Ｄ１と交差するように配置することが好ましい。
その具体例としては、図４に示されるように、両挟み板１の一部をクリップ取り外し方向Ｄ１と交差する方向へ線状に折り曲げて部分的に接触させることにより、線状の重ね合わせ部分１ａが形成されるか、或いは図５に示されるように、両挟み板１の一部においてクリップ取り外し方向Ｄ１と交差する方向の複数個所を点状に折り曲げて部分的に接触させることにより、点状の重ね合わせ部分１ａが形成されるようにする。
【００１９】
そして、これら挟み板１、折曲部２、屈曲部３及び貫通孔４は、薄い弾力性がある金属板に後述する所定の加工を施すことで形成され、それにより本考案の実施形態に係る薄型クリップＡを製造することが好ましい。
その製造方法の一例としては、先ず、金属板を所定の形状に裁断して、貫通孔４が空けられた帯状体を得る。
次の工程では、帯状体にプレス加工して両挟み板１を部分的に屈曲することにより、両挟み板１に一対の屈曲部３がそれぞれ形成される。
最後の工程では、帯状体の長手方向中間位置又はその近傍位置から折り曲げ加工して挟み板１を互いに重ね合わせることにより、重ね合わせ部分１ａと折曲部２が形成されて薄型クリップＡとなる。
【００２０】
このような本考案の実施形態に係る薄型クリップＡによると、図１（ｃ），図２（ｃ）及び図３（ｃ）の実線に示されるように、一方の挟み板１の先端部１ｂと他方の挟み板１の先端部１ｃとの間から書類などの被挟持物Ｂが挿入されることにより、両挟み板１が弾性変形して被挟持物Ｂの先端縁Ｂ１が重ね合わせ部分１ａの隙間に入り込む。
これに続いて、そのまま被挟持物Ｂを押し込むことにより、図１（ｃ），図２（ｃ）及び図３（ｃ）の二点鎖線に示されるように、被挟持物Ｂの表面Ｂ２が重ね合わせ部分１ａと摺動し、一対の屈曲部３間の空隙３ａを通って、その先端縁Ｂ１が折曲部２の内面に突き当たるまで移動し、被挟持物Ｂが重ね合わせ部分１ａのバネ力で挟持され、被挟持物Ｂは薄型クリップＡによって綴じられる。
【００２１】
また、この挟持状態で、被挟持物Ｂから挟み板１を取外すために指で摘むと、貫通孔４の開口縁４ａの一部４ｂに引っ掛かって、屈曲部３が外側に大きく突出するように形成し直さなくとも、薄型クリップＡの表面に対して指が滑らずに取り外し可能になる。
それにより、簡単な構造でクリップ全体の厚さ寸法を薄く維持しながら、被挟持物Ｂからクリップを容易に外すことができる。
さらに、挟み板１に貫通孔４を開穿することで挟み板１自体が弾性変形し易くなるため、被挟持物Ｂの挟み込みをスムーズに行うことができる。
さらにまた、挟み板１に開穿される貫通孔４を通して被挟持物Ｂの表面が露出するため、被挟持物Ｂの表面に記載された文字などを見ることができる。
次に、本考案の各実施例を図面に基づいて説明する。
【実施例１】
【００２２】
この実施例１は、図１（ａ）〜（ｃ）に示すように、一方の挟み板１の先端部１ｂと他方の挟み板１の先端部１ｃを三角形状に形成して重ね合わせ、それぞれ斜縁１ｄが互いに交わるように配置することにより、被挟持物Ｂの先端縁Ｂ１を両斜縁１ｄの交差部分に挿入して軽く捻るだけで両挟み板１の間が簡単に開くようにしたものである。
【００２３】
さらに、実施例１では、図１（ａ）〜（ｃ）に示すように、貫通孔４の開口縁４ａにおいて少なくとも被挟持物Ｂの進入方向Ｄ２と交差する一部４ｂのみが、屈曲部３の形成領域内に入り込むように配置している。
ここで、「被挟持物Ｂの進入方向Ｄ２」とは、被挟持物Ｂの挿入に伴って薄型クリップＡの両挟み板１の隙間に対して被挟持物Ｂが進入する方向、すなわち図１（ｃ）に矢印で示される、両挟み板１の他端部（先端部）１ａ，１ｂから一対の屈曲部３へ向かう方向である。
【００２４】
ところで、図２（ａ）〜（ｃ）に示される薄型クリップＡ′のように、両挟み板１′の重ね合わせ部分１ａ′のみに貫通孔４′が開穿されて屈曲部３′の形成領域内に入らない場合には、被挟持物Ｂの挿入に伴ってその先端縁Ｂ１が重ね合わせ部分１ａ′の隙間に入り込んだ際に、特に被挟持物Ｂが書類のように変形し易い薄物であると、図２（ｃ）の二点鎖線に示されるように、被挟持物Ｂの先端縁Ｂ１が貫通孔４′内に進入したところで厚さ方向へ若干膨らむ可能性がある。
このように厚さ方向へ膨らんだ被挟持物Ｂの先端縁Ｂ１は、その進入方向Ｄ２の延長線上に、それと交差するように貫通孔４′の末端部４ｂ′が配置されるため、その後の被挟持物Ｂの挿入により、貫通孔４′の末端部４ｂ′に突き当たってしまい、それ以上の被挟持物Ｂの挿入が困難になるとともに、無理に押し込むと、被挟持物Ｂの先端縁Ｂ１が部分的に変形して破損するおそれがあった。
【００２５】
これに対し、実施例１に係る薄型クリップＡは、書類などの被挟持物Ｂの挿入により、図１（ｃ）の二点鎖線に示されるように、被挟持物Ｂの先端縁Ｂ１が貫通孔４内に進入したところで厚さ方向へ若干膨らんだとしても、被挟持物Ｂの進入方向Ｄ２と交差する一部（末端部）４ｂが、外側へ山形状に突出する屈曲部３の形成領域内に配置されているため、厚さ方向へ若干膨らんだ被挟持物Ｂの先端縁Ｂ１が貫通孔４の一部（末端部）４ｂに接触して引っ掛かることなく、重ね合わせ部分１ａの間を摺動して、折曲部２の内面に突き当たるまで押し込み可能となる。
それにより、被挟持物Ｂを貫通孔４に引っ掛けることなくスムーズに挿入することができるという利点がある。
【実施例２】
【００２６】
この実施例２は、図３（ａ）〜（ｃ）に示すように、挟み板１のいずれか一方の先端部１ｂを、他方の先端部１ｃよりも突出させ、この一方の挟み板１の先端部１ｂに、両挟み板１の重ね合わせ部分１ａから離れる方向へ傾斜する案内部１ｅと、この案内部１ｅから他方の先端部１ｃの延長線上へ向けて逆向きに傾斜して突出する突出部１ｆとを山形状に屈曲形成した構成が、図１（ａ）〜（ｃ）に示した実施例１とは異なり、それ以外の構成は実施例１と同じものである。
【００２７】
図３（ａ）〜（ｃ）に示される例では、案内部１ｅを重ね合わせ部分１ａから離れる方向へ直線状に傾斜させ、突出部１ｆを逆向きの直線状に傾斜させて、この突出部１ｆの先端部分が他方の先端部１ｃの延長線と同一平面上に配置されている。
また、その他の例として図示しないが、突出部１ｆの先端部分を、他方の先端部１ｃの延長線を越えて更に突出するように配置させたり、案内部１ｅ又は突出部１ｆのいずれか一方又は両方を曲線状に傾斜させることも可能である。
さらに、図３（ａ）に示される例では、一方の挟み板１の先端部１ｂ及び他方の挟み板１の先端部１ｃを半円形に形成しており、案内部１ｅ及び突出部１ｆが形成される一方の先端部１ｂには、貫通孔４の開口縁４ａにおける先端部４ｃが、被挟持物Ｂへの挿入方向を示す矢印形に開穿されている。
また、その他の例として図示しないが、一方の挟み板１の先端部１ｂ及び他方の挟み板１の先端部１ｃを三角形などの形状に形成したり、貫通孔４の開口縁４ａにおける先端部４ｃとして半円形、矩形、多角形やその他の形状などに開穿することも可能である。
【００２８】
このような実施例２に係る薄型クリップＡによると、実施例１と同様に、通孔４の開口縁４ａにおいて少なくとも被挟持物Ｂの進入方向Ｄ２と交差する一部（末端部）４ｂのみが屈曲部３に入り込むように配置しているため、前述した実施例１と同様な作用効果が得られる。
【００２９】
それに加えて、図３（ｃ）の実線及び二点鎖線に示されるように、一方の挟み板１の先端部１ｂと他方の挟み板１の先端部１ｃとの間から書類などの被挟持物Ｂを挿入し、そのまま押し込むと、被挟持物Ｂの先端縁Ｂ１が先ず案内部１ｅに接し、この案内部１ｅに沿って重ね合わせ部分１ａの隙間まで誘導され、そのまま重ね合わせ部分１ａの隙間に入り込んで挟持される。
これと同時に、このような被挟持物Ｂの挟持状態では、一方の挟み板１の先端部１ｂが突出部１ｆの傾斜によって被挟持物Ｂの表面Ｂ２に密着している。
それにより、例えば特開平１１−７８３３０号公報の図１６に記載された「スーパークリップ」のように、折曲部が断面略コの字形に折り曲げ形成されて被挟持物の挟持方向へ厚さ寸法が大きいクリップに比べ、複数個の薄型クリップＡを積み重ねても嵩張らず、しかも書類などの被挟持物Ｂを薄型クリップＡで挟み綴じた状態で、両挟み板１の先端部１ｂ，１ｃが被挟持物Ｂの厚さ方向へ傾斜状に突出しないため、他の紙などの薄いものに引っ掛かって薄型クリップＡが外れてしまったり、また綴じている被挟持物Ｂが外れはしないが、他の紙などの薄いものが入り込んだり、引っ掛かったりしないという利点がある。
【実施例３】
【００３０】
この実施例３は、図４に示すように、両挟み板１のいずれか一方が他方へ向けて部分的に折曲部２とほぼ平行方向又はそれより若干傾斜した方向へ連続した線状に屈曲されることで、線状の重ね合わせ部分１ａを形成した構成が、図１（ａ）〜（ｃ）に示した実施例１又は図３（ａ）〜（ｃ）に示した実施例２とは異なり、それ以外の構成は実施例１又は実施例２と同じものである。
【００３１】
図４に示される例では、一方の挟み板１のみに、折曲部２とほぼ平行方向へ直線状に延びる断面略Ｖ字形の線状凸部１ｇを一本のみ折り曲げ形成して、その突出端を他方の挟み板１に圧接させることにより、線状の重ね合わせ部分１ａが一つ形成されるようにしている。
また、その他の例として図示しないが、両挟み板１のいずれか一方に、クリップ取り外し方向Ｄ１へ所定間隔毎に複数本の線状凸部１ｇを折り曲げ形成したり、両挟み板１のそれぞれに単数又は複数本の線状凸部１ｇを折り曲げ形成することも可能である。
【００３２】
このような実施例３に係る薄型クリップＡによると、前述した実施例１又は実施例２と同様な作用効果が得られ、更に加えて、書類などの被挟持物Ｂを薄型クリップＡで挟み綴じた状態では、被挟持物Ｂにおいてクリップ取り外し方向Ｄ１と交差する方向の複数個所が、線状の重ね合わせ部分１ａ（線状凸部１ｇ）で集中的に挟持されてそれぞれクリップ取り外し方向Ｄ１へ移動不能に位置決めされる。
それにより、被挟持物Ｂの位置ズレを防止又は抑制することができ、被挟持物Ｂが積み重ねた書類であっても、個々の書類が相互に位置ズレせず、書類が薄型クリップＡを中心として扇状に広がるような位置ズレを防止できるという利点がある。
【実施例４】
【００３３】
この実施例４は、図５に示されるように、両挟み板１のいずれか一方が他方へ向けて部分的に折曲部２とほぼ平行方向又はそれより若干傾斜した方向へ互いに離れた複数の点状に屈曲されることで、点状の重ね合わせ部分１ａを形成した構成が、図１（ａ）〜（ｃ）に示した実施例１又は図３（ａ）〜（ｃ）に示した実施例２とは異なり、それ以外の構成は実施例１又は実施例２と同じものである。
【００３４】
図５に示される例では、一方の挟み板１のみに、折曲部２とほぼ平行方向へ所定間隔が空くように円形の点状凸部１ｈを二つ折り曲げ形成して、これらの突出端を他方の挟み板１に圧接させることにより、点状の重ね合わせ部分１ａが二つ形成されるようにしている。
また、その他の例として図示しないが、点状凸部１ｈを矩形や多角形などに変更したり、両挟み板１のいずれか一方に、クリップ取り外し方向Ｄ１へ所定間隔毎に複数の点状凸部１ｈを折り曲げ形成したり、両挟み板１のそれぞれに単数又は複数の点状凸部１ｈを折り曲げ形成することも可能である。
【００３５】
このような実施例４に係る薄型クリップＡによると、前述した実施例１又は実施例２と同様な作用効果が得られ、更に加えて、書類などの被挟持物Ｂを薄型クリップＡで挟み綴じた状態では、被挟持物Ｂにおいてクリップ取り外し方向Ｄ１と交差する方向の複数個所が、点状の重ね合わせ部分１ａ（点状凸部１ｈ）で集中的に挟持されてそれぞれクリップ取り外し方向Ｄ１へ移動不能に位置決めされる。
それにより、被挟持物Ｂの位置ズレを防止又は抑制することができ、被挟持物Ｂが積み重ねた書類であっても、個々の書類が相互に位置ズレせず、書類が薄型クリップＡを中心として扇状に広がるような位置ズレを防止できるという利点がある。
【００３６】
なお、前示実施例１では、一方の挟み板１の先端部１ｂと他方の挟み板１の先端部１ｃを三角形状に形成して重ね合わせ、それぞれ斜縁１ｄが互いに交わるように配置し、前示実施例２では、一方の挟み板１の先端部１ｂを、他方の挟み板１の先端部１ｃよりも突出させて案内部１ｅと突出部１ｆを山形状に屈曲形成したが、これらに限定されず、挟み板１の先端部１ｂ，１ｃの形状は実施例１，２以外のものであっても良い。
【符号の説明】
【００３７】
１  挟み板                                １ａ  重ね合わせ部分
１ｂ  一方の挟み板の先端部                １ｃ  他方の挟み板の先端部
１ｅ  案内部                              １ｆ  突出部
２  折曲部                                ３  屈曲部
４  貫通孔                                ４ａ  開口縁
４ｂ  一部（末端部）                      Ｂ  被挟持物
Ｄ１  クリップ取り外し方向                Ｄ２  被挟持物の進入方向
【図１】
0003160214.tif 000003
【図２】
0003160214.tif 000004
【図３】
0003160214.tif 000005
【図４】
0003160214.tif 000006
【図５】
0003160214.tif 000007